(57)【要約】【課題】  将来も着用することのない古着や、呉服店、問屋、製造元等で在庫品で、かなりの年月を経て柄も古くなり、店頭に新品として陳列できなくなった売れ残りの着物等を有効に利用して、新たに斬新なデザインの衿、袖、衽、前身ごろ、後身ごろ等の着物の各構成部分を再生する。又、この再生した構成部分で新しく仕立てた着物とする。【解決手段】  着物の縫着部を解いた衿１、袖２、衽３、前身ごろ、後身ごろ５の着物の各構成部分を基布Ａとして、この基布Ａに他の着物の各構成部分から裁断した布片Ｂを繋ぎ合わせて所望のデザインとすると共に、所定のサイズに再生する。再生した各構成部分で新しく着物を仕立てる。【選択図】  図３
2005240237.tif 000002
【特許請求の範囲】
【請求項１】
着物の縫着部を解いて分離した着物の各構成部分を基布として、この基布に他の着物の各構成部分から裁断した布片を繋ぎ合わせて所望のデザインとすると共に、所定のサイズに再生して成ることを特徴とする着物の構成部分。
【請求項２】
請求項１の着物の構成部分で仕立てたことを特徴とする着物。
【請求項３】
着物の縫着部を解いて各構成部分に分離し、この構成部分を基布として、この基布に他の着物の各構成部分から裁断した布片を縫い付け繋ぎ合わせて所望のデザインとすると共に、所定のサイズに形成し、繋ぎ合わせた箇所の裏面に熱接着により接着芯を貼着することを特徴とする着物の構成部分の再生方法。
【発明の詳細な説明】
【技術分野】
【０００１】
本発明は、箪笥にしまってあり、将来も着用することのない古着や、呉服店、問屋、製造元等での在庫品で、かなりの年月を経て柄も古くなり、店頭に新品として陳列できない売れ残りの着物等を有効に利用し再生した着物の構成部分、及びこの着物の構成部分で仕立てた着物、並びに着物の構成部分の再生方法に関するものである。
【背景技術】
【０００２】
着物は高価で着用の機会も少なく、元来仕立て直しをし、世代を渡って着用されてきたものであるが、現代は体格が昔とは異なってきているため、丈が短かったり、巾が狭かったりして仕立て直しも困難で、箪笥にしまったままとなっているのが殆どで、特別な思い入れや愛着のある着物を捨てることもできずにいるのが実情である。
又、呉服店、問屋、製造元等で売れ残り、かなりの年月を経て柄も古くなり、店頭に新品として陳列できなくなった売れ残りの着物等が多数残っており、経済的損失も大きいものとなっている。
【０００３】
そこで、従来は捨てられずにしまってある古着を利用したものとして、特開２００２−３１２４６２の布団の製造方法や、実用新案登録第３０６５４９１号の掛け布団が提案されている。
しかし、これ等は古着を布団として再生したものであって、本来の用途とは異なり、高価で特別の思い入れや愛着のある古着を再生して着用したいと誰もが思うところであるが、この点に関して従来は対策が講じられていなかった。
【特許文献１】特開２００２−３１２４６２
【特許文献２】実用新案登録第３０６５４９１号
【発明の開示】
【発明が解決しようとする課題】
【０００４】
上記点より、本発明は将来も着用することのない古着や、呉服店、問屋、製造元等での在庫品で、かなりの年月を経て柄も古くなり、店頭に新品として陳列できなくなった売れ残りの着物等を有効に利用して、新たに斬新なデザインの衿、袖、衽、前身ごろ、後身ごろ等の着物の各構成部分を再生した着物の構成部分、及びこの着物の構成部分で仕立てた着物、並びに着物の構成部分の再生方法を提供しようとするものである。
【課題を解決するための手段】
【０００５】
上記課題を解決するため請求項１記載の本発明着物の構成部分は、着物の縫着部を解いて分離した着物の各構成部分を基布として、この基布に他の着物の各構成部分から裁断した布片を繋ぎ合わせて所望のデザインとすると共に、所定のサイズに再生して成ることを特徴とするものである。
【０００６】
このような構成とすることにより、将来も着用することのない古着や、呉服店、問屋、製造元等の在庫品で、かなりの年月を経て柄も古くなり、店頭に新品として陳列できなくなった売れ残りの着物等の縫着部を解いた衿、袖、衽、前身ごろ、後身ごろ等の各構成部分の基布に、他の着物の各構成部分から好みの模様等を裁断した布片を部分的に繋ぎ合わせて所望のデザインの構成部分を再生したり、基布の寸法の足りない部分に、他の着物から裁断した布片を繋ぎ合わせることにより、所望のデザインで縦方向及び横方向を所定のサイズに再生でき、パッチワーク風で斬新なものとなると共に、古着や売れ残りの着物等を有効に利用できる。
【０００７】
次に、請求項２記載の本発明着物は、請求項１の着物の構成部分で仕立てたことを特徴とするものである。
【０００８】
このような構成とすることにより、着物のデザインは斬新でかつパッチワーク風となる。古着を使用すれば、古着に対する特別な思い入れや愛着を失うことなく、そのまま抱くことができる新しい着物となる。又、古着や売れ残りの着物等を有効に利用できる。
【０００９】
次に、請求項３記載の本発明着物の構成部分の再生方法は、着物の縫着部を解いて各構成部分に分離し、この構成部分を基布として、この基布に他の着物の各構成部分から裁断した布片を縫い付け繋ぎ合わせて所望のデザインとすると共に、所定のサイズに形成し、繋ぎ合わせた箇所の裏面に熱接着により接着芯を貼着することを特徴とするものである。    
【００１０】
このような構成とすることにより、将来も着用することのない古着や売れ残りの着物等の縫着部を解いた衿、袖、衽、前身ごろ、後身ごろ等の各構成部分の基布に、他の着物の各構成部分から好みの模様等を裁断した布片を縫い付けることにより、パッチワーク風に繋ぎ合わせて所望のデザインで、縦方向及び横方向を所定のサイズに形成するため、パッチワーク風で斬新なものとなると共に、古着や売れ残りの着物等を有効に利用できる。
又、繋ぎ合わせた箇所の裏面は、接着芯が熱接着により貼着されているため納まりもよく、裏面からのほつれも防止され、丈夫なものとなる。
【発明の効果】
【００１１】
請求項１の本発明によれば、着物の各構成部分である衿、袖、衽、前身ごろ、後身ごろ等の各構成部分がパッチワーク風で斬新なものとなると共に、材質の異なる布地が繋ぎ合わさることで質感が変わり、赴きを変えることができる。又、古着や売れ残りの着物等を有効に利用することで経済的効果も大きい。
又、請求項２の本発明によれば、請求項１の発明の効果に加えて、パッチワーク風で斬新なデザインの着物となり、かつ古着を使用することにより古着に対する特別な思い入れや愛着を失うことなく、そのまま抱くことができる着物となると共に、小さくなった着物を大きく仕立て直して着用できる効果を有する。
又、請求項３の本発明によれば、請求項１の効果に加えて、縫い付けて繋ぎ合わせた箇所の裏面に接着芯が貼着されているため、納まりもよく、裏面からのほつれも防止され、丈夫な着物の構成部分となる効果を有する。
【発明を実施するための最良の形態】
【００１２】
以下、本発明の一実施の形態を図面に基づき説明する。
図１は本発明着物の構成部分である後身ごろの作成途中を示す部分表面図、図２は同上の繋ぎ合わせた状態を示す一部切り欠いた部分裏面図、図３は同上の仕上がった状態の部分表面図、図４は図３の部分拡大断面図、図５は本発明着物の構成部分で仕立てた着物の表面図である。
【００１３】
本発明で使用する着物は、小さくなって着用できなくなったり、デザインが古くなったり、或いは汚れて将来も着用することのない古着（羽織、和服用コート等を含む）や、呉服店、問屋、製造元等の在庫品で、かなりの年月を経て柄も古くなり、店頭に新品として陳列できなくなった売れ残りの着物、或いは新品の着物等総ての着物が含まれる。
【００１４】
本発明の着物の構成部分は、古着等の着物の縫着部を解いて分離した衿１、袖２、衽３、前身ごろ４、後身ごろ５の各布地から成り、この各構成部分を基布Ａとし、この基布Ａに他の着物の各構成部分から裁断した布片Ｂを繋ぎ合わせて、衿１、袖２、衽３、前身ごろ４、後身ごろ５の各構成部分を再生したものである。
【００１５】
構成部分の再生方法を構成部分の一つである後身ごろ５について説明すれば、図１に示すように、古着等の縫着部を解いた後身ごろ５を基布Ａとし、この基布Ａの所望の箇所に他の着物の構成部分から裁断した布片Ｂが繋ぎ合わせられるよう基布Ａを切除して布片Ｂと入れ替え、所定の丈及び巾のサイズに形成する。
基布Ａの切除部や布片Ｂのサイズ、形状、枚数等はデザイン上の布地が十分に足りるか、寸法が間違っていないか、見積り寸法を入れて裁断し、所定の丈及び巾の後身ごろ５となるようにする。
【００１６】
入れ替える布片Ｂは、他の着物の構成部分であれば、どの構成部分から取ってもよく、模様等は構成部分のみならず、着物となった時に全体にバランス良くなるよう柄合わせをしておく。又デザインを優先するも用尺又は汚れ等を取り除く箇所等、並行して仮決定をする。汚れた箇所を取り除くと、足りなくなる部分は足し布や洗いをする。
【００１７】
基布Ａの縫い代Ａ１及び各布片Ｂの縫い代Ｂ１は均一の巾にし、縫い代Ａ１、Ｂ１は割って各布片Ｂを縫い糸１０でパッチワーク風に縫い付け、各布片Ｂを一体化し、これを基布Ａに縫い付け繋ぎ合わす。布片Ｂの縫い付けの針目は約２ｍｍピッチとし、縫い代Ｂの巾は約５〜６ｍｍとする。
【００１８】
後身ごろ５の裏面には細い縫い代Ａ１、Ｂ１が縦横に見えるが（図２）、表面は針目が細かいので見えない。
裏面の繋ぎ合わせ部は、縫い代Ａ１、Ｂ１が見えない程の大きさの接着芯２０を貼着して覆う。接着芯２０は接着面に接着剤が塗布され、アイロンで熱接着する。
薄手の布片Ｂの場合は、熱接着する時スチームは出さず熱のみで貼着する方が良く、接着芯２０の厚さは生地により決定する。
【００１９】
このようにして後身ごろ５が再生されるが、この実施例では後身ごろ５の途中に布片Ｂを介在したが、勿論後身ごろ５の端部に繋ぎ合わすこともできる。又、寸法の足りない場合等、足りない部分に布片Ｂで足し布をすることもできる。更に布片Ｂは異なる材質の生地を使用することもできる。
【００２０】
上記のように、後身ごろ５についての再生方法を具体的に説明したが、同じ要領で順次、衿１、袖２、衽３、前身ごろ４の着物の各構成部分を再生する。
図５は、本発明方法で再生した衿１、袖２、衽３、前身ごろ４、後身ごろ５を使用して仕立てた着物の表面図である。
【００２１】
以上、本発明を実施形態に基づき具体的に説明したが、本発明は上記実施形態に限定されるものではなく、例えば基布Ａに繋ぎ合わす布片Ｂは、他の複数の着物等から所望の柄や模様を個々に選択して組み合わせて使用することもでき、又、構成部分によっては基布Ａの占める面積よりも布片Ｂの占める面積の方が大きくなっても良い。このように本発明の趣旨を逸脱しない範囲内で種々の変形が可能である。
【図面の簡単な説明】
【００２２】
【図１】本発明着物の構成部分の作成途中を示す部分表面図である。
【図２】本発明着物の構成部分の作成途中を示す一部切り欠いた部分裏面図である。
【図３】本発明着物の構成部分の仕上がった状態の部分表面図である。
【図４】図３の部分拡大断面図である。
【図５】本発明着物の構成部分で仕立てた着物の表面図である。
【符号の説明】
【００２３】
Ａ  基布
Ａ１  縫い代
Ｂ  布片
Ｂ１  縫い代
１  衿
２  袖
３  衽
４  前身ごろ
５  後身ごろ
１０  縫い糸
２０  接着芯
【図１】
2005240237.tif 000003
【図２】
2005240237.tif 000004
【図３】
2005240237.tif 000005
【図４】
2005240237.tif 000006
【図５】
2005240237.tif 000007